(57)【要約】      （修正有）【課題】ＧＰＳ時刻に基づき所望のタイムゾーンの正確なローカルタイムを表示可能かつ外部機器へ連携可能な時計を提供する。【解決手段】ＧＰＳ衛星３００より送信されたＧＰＳ時刻が含まれた信号を受信するＧＰＳ受信部１１０と、受信した前記ＧＰＳ時刻に基づき所望のタイムゾーンにおけるローカルタイムを算出するローカルタイム算出部１２０と、該ローカルタイム算出部において算出した前記ローカルタイムを表示する表示部１３０と、前記タイムゾーンを選択する選択部１２５と、受信した前記ＧＰＳ時刻及び／または前記ローカルタイムを外部機器２００へと送信する外部接続部１４０と、計時機能を備えた内部時計１５０とを有することを特徴とするＧＰＳ時計。【選択図】図１
0003168099.tif 000002
【実用新案登録請求の範囲】
【請求項１】
ＧＰＳ衛星より送信されたＧＰＳ時刻が含まれた信号を受信するＧＰＳ受信部と、受信した前記ＧＰＳ時刻に基づき所望のタイムゾーンにおけるローカルタイムを算出するローカルタイム算出部と、前記ローカルタイム算出部において算出した前記ローカルタイムを表示する表示部と、前記タイムゾーンを選択する選択部と、受信した前記ＧＰＳ時刻及び／または前記ローカルタイムを外部機器へと送信する外部接続部と、計時機能を備えた内部時計とを有することを特徴とするＧＰＳ時計。
【請求項２】
前記外部機器は、セシウム時計、ルビジウム時計、サーバのいずれかであることを特徴とする請求項１に記載のＧＰＳ時計。
【請求項３】
前記ローカルタイムは、年月日情報を含むことを特徴とする請求項１または２に記載のＧＰＳ時計。
【考案の詳細な説明】
【技術分野】
【０００１】
本考案は、時計に関し、より詳細には、ＧＰＳ衛星より時刻情報を受信して、時刻を設定する時計に関する。
【背景技術】
【０００２】
近年、様々な取引場面や、公共団体などにおいて、ずれのない、正確な時刻を知る必要がある場面がある。また、現在、グローバル化が進み、世界各国における現在時刻を瞬時に把握することが以前にまして求められている。
【０００３】
正確な時刻を知るために、従来、いわゆる電波時計として、電波が用いられる時計が使用されてきた。電波時計においては、セシウム原子時計が設置された送信局より送られてくる電波を一定時間ごとに受信し、受信した電波信号を読み取り、自動的に時刻を合わせている。
【０００４】
しかし、電波時計においては、マンションやビルなどの鉄筋コンクリート構造・鉄骨構造の建物内においては、電波の受信が困難であり、時刻合わせが行えないという問題がある。
【０００５】
また、電波時計においては、受信し、設定を行うまでに、時間がかかるという問題がある。
【０００６】
そこで、現在においては、ＧＰＳ衛星より送信される時刻情報を用いて時刻合わせを行うＧＰＳ時刻を用いた時計が注目されている。
【０００７】
ＧＰＳ時刻を用いた時計においては、ＧＰＳ衛星に内蔵された1980年当時のＵＴＣ（協定世界時）を基準とする原子時計の時刻と、ＧＰＳ時刻と現在のＵＴＣとのオフセット値とを受信し、受信した時計側において、時刻の補正を行い、ＧＰＳ時刻による時刻同期を行っている。この時刻同期により、ＧＰＳ時刻を用いた時計では、ＵＴＣとの誤差が５０ｎｓ以下の時刻を表示することができる。
【０００８】
ＧＰＳ時刻は、メンテナンス不要の高精度時計、高精度周波数の標準器やカーナビゲーションシステムなどで主に用いられている。
【０００９】
こうした時計においても、例えば世界各国と連絡をとる必要がある場合には、その地域のローカルタイムを瞬時に知る必要がある場合に、ＧＰＳ時刻に基づいて各地域のローカルタイムを、瞬時に、地域を切り替えつつ表示させる機能を備えることが求められる。
【００１０】
また、ＧＰＳ受信機能を有しないタイプの高精度時計や、ＵＴＣと時刻合わせを行う必要があるタスクを行うサーバなどにおいては、外部からＵＴＣに準拠した時間が設定される必要がある。サーバをｎｔｐサーバと接続することにより、ＵＴＣやローカルタイムと同期することも可能であるが、ｎｔｐサーバと接続する場合、ｎｔｐサーバとの間の通信状態により、設定時刻にずれが生じる可能性がある。
【考案の概要】
【考案が解決しようとする課題】
【００１１】
そこで、本考案においては、ＧＰＳ時刻を受信し、ＧＰＳ時刻に基づいた正確な時刻を瞬時に各地域のローカルタイムに変換して表示可能な時計を提供することを目的とする。
【００１２】
また、本考案においては、ＧＰＳ時刻を他の機器に伝送可能な時計を提供することを目的とする。
【課題を解決するための手段】
【００１３】
本考案の一実施形態に係るＧＰＳ時計は、ＧＰＳ衛星より送信されたＧＰＳ時刻が含まれた信号を受信するＧＰＳ受信部と、受信した前記ＧＰＳ時刻に基づきローカルタイムを算出するローカルタイム算出部と、算出した前記ローカルタイムを表示する表示部と、前記表示部へ表示するローカルタイムを選択する選択部と、受信した前記ＧＰＳ時刻及び／または前記ローカルタイムを外部機器へと送信する外部接続部と、計時機能を備えた内部時計とを含むことを特徴とする。
【考案の効果】
【００１４】
本考案に係るＧＰＳ時計によれば、正確な時刻を所望のローカルタイムの形式で表示することができる。
【００１５】
また、本考案に係るＧＰＳ時計によれば、正確な時刻を外部機器において用いさせることができる。
【図面の簡単な説明】
【００１６】
【図１】本考案の一実施形態に係るＧＰＳ時計のブロック図である。
【図２】本考案の一実施形態に係るＧＰＳ時計と外部の機器との接続関係を示す図である。
【図３】本考案の一実施形態に係るＧＰＳ時計の部品構成及び部品間の接続関係の一例を示す図である。
【考案を実施するための形態】
【００１７】
以下、本考案を実施するための形態について説明する。なお、本考案は、以下の説明に限定されることなく、種々なる態様での実施が可能である。また、同一の部材、同一に定義される部材には同じ符号を用いる。
【００１８】
図１は、本考案の一実施形態に係るＧＰＳ時計のブロック図であり、図２は、本考案の一実施形態に係るＧＰＳ時計と外部の機器との接続関係を示す図である。
【００１９】
図１及び図２を参照すると、時計１００は、ＧＰＳ受信部１１０、ローカルタイム算出部１２０、選択部１２５、表示部１３０、外部接続部１４０、内部時計１５０とが備えられる。これらの構成については、いずれもマイクロプロセッサにより制御される。
【００２０】
ＧＰＳ受信部１１０は、ＧＰＳ衛星３００より、ＧＰＳ時刻及び現在のＵＴＣとのオフセット値が含まれた信号を受信する。ＧＰＳ時刻には、年月日時分秒の情報が含まれる。ＧＰＳ受信部１１０は、ＧＰＳ時刻及び現在のＵＴＣとのオフセット値から、現在のＵＴＣへの時刻補正を行う。時刻補正は、一般的に用いられているＧＰＳ受信機により行われるものと同様であり、ＧＰＳ受信部１１０として、市販のＧＰＳ受信機を用いても良い。
【００２１】
ＧＰＳ受信部１１０による信号受信のタイミングは、例えば電源投入と同時でもよく、また、時計１００に受信開始命令用のボタンを設け、ボタンを押下することにより信号受信が開始されてもよい。
【００２２】
現在のＵＴＣへの時刻補正が行われた後、内部時計１５０を、補正後の時刻に同期させる。ＧＰＳ受信部１１０より出力する１ＰＰＳパルスに同期が行われる。これにより、内部時計１５０が現在のＵＴＣと同期され、正確な時刻を保持することができる。
【００２３】
ローカルタイム算出部１２０は、ＧＰＳ受信部１１０で算出されたＵＴＣを元に、所望のタイムゾーン（等時体）におけるローカルタイムを算出する。ローカルタイム算出部１２０は、ＵＴＣとローカルタイムとの時差をタイムゾーンごとに保持するタイムゾーン情報保持部１２１（図示せず）及び、年月日を含んだ時刻情報を算出する計算部１２２（図示せず）を有してもよい。
【００２４】
タイムゾーン情報保持部１２１で保持する時差を元に、計算部１２２においてローカルタイムを求める。
【００２５】
計算部１２２においては、年月日を含んだ時刻情報を算出するが、このとき、閏年であるか、平年であるかを修正ユリウス暦を用いて算出し、閏年であるか、平年であるかにより、閏日を挿入するか否かを決定する。
【００２６】
どのタイムゾーンにおけるローカルタイムを算出するかは、選択部１２５により選択されてもよい。この場合、選択部１２５において選択されたタイムゾーンにおけるローカルタイムを、ローカルタイム算出部１２０が算出する。
【００２７】
選択部１２５は、例えばボタン、ダイアル、タッチパネルなどでよく、時計を使用するユーザにより所望のタイムゾーンを選択できる形態であればよい。タイムゾーンの選択時に、選択部１２５で選択したタイムゾーンを、表示部１３０に表示してもよい。
【００２８】
本考案の一実施形態に係る時計においては、選択部１２５でタイムゾーンを選択すると、ローカルタイム算出部１２０において瞬時にＵＴＣからローカルタイムを算出して、表示部１３０において選択されたタイムゾーンにおけるローカルタイムを年月日を含めて表示する。
【００２９】
これにより、ユーザは所望のタイムゾーンにおける正確なローカルタイムを、簡単な操作により、瞬時に知ることができる。
【００３０】
本考案の一実施形態に係る時計において、外部接続部１４０を通じて、時計において保持する時刻情報を外部機器２００へと送信してもよい。
【００３１】
外部機器２００は、例えばセシウムやルビジウムを用いた高精度時計でもよく、また、サーバとして用いられるコンピュータでもよい。高精度時計は、一旦時刻を設定するとその時刻にズレが生じることは非常に少ないが、時刻設定自体は、外部の時刻情報に基づき設定する必要がある。
【００３２】
外部接続部１４０は、接続したい外部機器２００に応じたコネクタを備える。例えばコネクタはＵＳＢ、ＲＳ２３２、ＬＡＮインターフェースなどでもよい。
【００３３】
これにより、本考案の一実施形態に係るＧＰＳ時計を通じて、ＧＰＳ衛星３００からの信号を受信できない外部機器２００においても、ＧＰＳ時刻に基づいた正確な時間を設定することができる。
【００３４】
図３は、本考案の一実施形態に係るＧＰＳ時計の部品構成及び部品間の接続関係の一例を示す図である。
【００３５】
図３を参照すると、本考案の一実施形態に係るＧＰＳ時計１０００は、受信モジュール１１００、ＧＰＳアンテナ１１５０、マイクロプロセッサ１２００、時差情報保持メモリ１２１０、操作パネル１２５０、液晶表示器１３００、７セグ表示器１３１０、ＲＳ−２３２ドライバ１４１０、Ｄサブコネクタ１４２０、ＵＳＢドライバ１４３０、ＵＳＢコネクタ１４４０、ＬＡＮインターフェース１４５０、バックアップ用ＲＴＣ１５００、時報音発生部１６００、及びスピーカ１６１０を備える。
【００３６】
受信モジュール１１００及びＧＰＳアンテナ１１５０は前述したＧＰＳ受信部１１０に対応し、ＧＰＳ信号の受信処理を行う部品である。
【００３７】
マイクロプロセッサ１２００及び時差情報保持メモリ１２１０はローカルタイム算出部に対応１２０し、時差情報保持メモリ１２１０はタイムゾーン情報保持部１２１に、マイクロプロセッサ１２００は計算部１２２に対応し、ローカルタイムの算出を行う。マイクロプロセッサ１２００は、その他ＧＰＳ時計１０００の各部品についての制御を行ってもよい。
【００３８】
操作パネル１２５０は、選択部１２５に対応し、ボタン、ダイアル、タッチパネルなどの部品であり、ユーザ所望のタイムゾーンの選択に用いられる。
【００３９】
液晶表示器１３００及び７セグ表示器１３１０は、表示部１３０に対応し、選択部１２５の選択に応じた時刻情報などの表示を行う。７セグ表示器１３１０は、ＬＥＤによる時刻表示を行ってもよく、ローカルタイムを時分秒の形式で表示してもよい。液晶表示器１３００において、選択したタイムゾーン、年月日および時刻等の７セグ表示器１３１０に比べ、より詳細なローカルタイム、タイムゾーンに係る情報を表示してもよい。
【００４０】
ＲＳ−２３２ドライバ１４１０、Ｄサブコネクタ１４２０、ＵＳＢドライバ１４３０、ＵＳＢコネクタ１４４０、及びＬＡＮインターフェース１４５０は、外部接続部１４０に対応し、外部機器２００との接続用のインターフェースである。ＲＳ−２３２ドライバ１４１０及びＤサブコネクタ１４２０と、ＵＳＢドライバ１４３０及びＵＳＢコネクタ１４４０と、ＬＡＮインターフェース１４５０のいずれを接続に用いるかは、ユーザが適宜選択可能である。
【００４１】
バックアップ用ＲＴＣ１５００は内部時計１５０に対応し、内部時計として機能する。
【００４２】
また、所定の時刻を知らせる時報音発生部１６００及びスピーカ１６１０を備えてもよい。
【００４３】
本考案の一実施形態に係るＧＰＳ時計は、例えば幅２００ｍｍ×高さ１００ｍｍ×奥行き１５２ｍｍといった小さなサイズにより以上の構成を含んで実現可能である。
【符号の説明】
【００４４】
１１０  ＧＰＳ受信部
１２０  ローカルタイム算出部
１２５  選択部
１３０  表示部
１４０  外部接続部
１５０  内部時計
【図１】
0003168099.tif 000003
【図２】
0003168099.tif 000004
【図３】
0003168099.tif 000005